(57)【要約】【課題】既設の変電所においてスペースの拡張をすることなく回線を増設することができるようにすること。【解決手段】既設の遮断器ＣＢに機器モジュールＭ１１，Ｍ１２，Ｍ２　〜Ｍ５　を組み込むことにより、１回線分の受送電ユニットＵ１　を構成し、遮断器以外の既設の機器を撤去することにより生まれたスペースに新たな受送電ユニットを導入することにより、既設の変電所のスペースを拡張することなく、回線を増設する。【選択図】　図３
2004080911.tif 000002
【特許請求の範囲】
【請求項１】
３相の遮断器と、該遮断器とともに受送電用開閉回路を構成する複数の機器とを備えた変電所の受送電用開閉装置において、
各相の遮断器は、軸線をほぼ水平方向に向けた状態で配置された容器本体と該容器本体の軸線方向の両端の上部からそれぞれ突出した対の管台部とを一体に有する遮断部容器と、該遮断部容器内に収容された遮断部とを備えていて、３相の遮断器が架台の上に並設され、
前記遮断器とともに前記開閉回路を構成するために必要な機器が、１単位となる機器毎にモジュール容器内に収容されて複数種類の機器モジュールが構成され、
前記遮断部容器の対の管台部のそれぞれに複数の機器モジュールが直列に接続されて前記受送電用開閉回路が構成され、
前記遮断部容器内及び各モジュール容器内に絶縁ガスが封入されている変電所の受送電用開閉装置。
【請求項２】
前記遮断部容器の対の管台部のそれぞれに接続された複数の機器モジュールのうち、最上部に配置された機器モジュールに電線接続手段が取り付けられている請求項１に記載の変電所の受送電用開閉装置。
【請求項３】
変圧器と、遮断器と、前記遮断器の一端と回線を構成する線路との間に設けられる線路側開閉回路の構成機器と、前記遮断器の他端と前記変圧器の一次側との間に設けられる変圧器側開閉回路の構成機器とを備えていて、前記遮断器と線路側開閉回路の構成機器と変圧器側開閉回路の構成機器とにより受送電用開閉回路が構成された既設の変電所において回線を増設する方法であって、
前記線路側開閉回路を構成するために必要な機器及び前記変圧器側開閉回路を構成するために必要な機器を、１単位とする機器毎に絶縁ガスが封入されるモジュール容器内に収容したものをそれぞれ機器モジュールとして用意しておき、
既設の線路側開閉回路の構成機器と既設の変圧器側開閉回路の構成機器とを撤去する機器撤去過程と、
前記線路側開閉回路を構成するために必要な複数の機器モジュールを前記遮断部容器の対の管台部の一方に直列に接続するとともに、前記変圧器側開閉回路を構成するために必要な複数の機器モジュールを前記遮断部容器の対の管台部の他方に直列に接続して、既設の受送電用開閉回路と同様の電気的構成を有する第１の受送電ユニットを組み立てる第１の受送電ユニット組立て過程と、
前記第１の受送電ユニットとほぼ同様な線路側開閉回路及び変圧器側開閉回路を有する第２の受送電ユニットを前記第１の受送電ユニットの側方に設置する第２の受送電ユニット設置過程と、
前記第１の受送電ユニットの変圧器側開閉回路の変圧器側と第２の受送電ユニットの変圧器側開閉回路の変圧器側との間をガス絶縁母線を介して接続する母線接続過程とを行い、
前記第１の受送電ユニット及び第２の受送電ユニットの一方及び他方をそれぞれ既設回線用の受送電ユニット及び増設回線用の受送電ユニットとすることを特徴とする変電所の回線増設方法。
【請求項４】
変圧器と、前記変圧器の一次側と回線を構成する線路との間に設けられた受送電用開閉回路の構成機器とを備え、前記受送電用開閉回路は、軸線をほぼ水平方向に向けた状態で配置された容器本体と該容器本体の軸線方向の両端の上部からそれぞれ突出した対の管台部とを一体に有する遮断部容器と該遮断部容器内に収容された遮断部と前記遮断部容器の対の管台部の一方及び他方にそれぞれ接続された電線接続手段とを備えた遮断器と、前記遮断器の一端と前記線路との間に設けられる線路側断路器と、前記線路側断路器の線路側端子に接続される導体を接地する線路側接地開閉器と、前記遮断器の他端と前記変圧器の一次側との間に設けられる変圧器側断路器とを少くとも備えている既設の変電所において回線を増設する方法であって、
既設の線路側断路器と同等の機能を有する断路器及び前記遮断器の一端を接地する第１の遮断器点検用接地開閉器の構成要素を絶縁ガスが封入されるモジュール容器内に収容した線路側断路器・接地開閉器モジュールと、既設の線路側接地開閉器と同等の機能を有する接地開閉器の構成要素を絶縁ガスが封入されるモジュール容器内に収容した線路側接地開閉器モジュールと、既設の変圧器側断路器と同等の機能を有する断路器及び前記遮断器の他端を接地する第２の遮断器点検用接地開閉器の構成要素を絶縁ガスが封入されるモジュール容器内に収容した変圧器側断路器・接地開閉器モジュールと、母線接続用導体を絶縁ガスが封入されるモジュール容器内に収容した母線接続導体モジュールとを用意しておいて、
既設の線路側断路器と既設の線路側接地開閉器と変圧器側断路器とを撤去する機器撤去過程と、
既設の遮断器の遮断部容器の対の管台部から電線接続手段を外した後、該対の管台部の一方に少なくとも前記線路側断路器・接地開閉器モジュールと線路側接地開閉器モジュールとを直列に接続するとともに、該線路側接地開閉器モジュールに前記線路の端末を接続する線路接続手段を接続し、かつ前記対の管台部の他方に少なくとも前記変圧器側断路器・接地開閉器モジュールと母線接続導体モジュールとを直列に接続して既設の受送電用開閉回路と同等の電気的構成を有する第１の受送電ユニットを構成する第１の受送電ユニット組立て過程と、
前記第１の受送電ユニットとほぼ同様に構成された第２の受送電ユニットを前記第１の受送電ユニットと並べて設置する第２の受送電ユニット設置過程と、
前記第１の受送電ユニットの母線接続導体モジュールと前記第２の受送電ユニットの母線接続導体モジュールとの間をガス絶縁母線により接続する母線接続過程とを行い、
前記第１の受送電ユニット及び第２の受送電ユニットの一方及び他方をそれぞれ既設回線用受送電ユニット及び増設回線用受送電ユニットとし、
前記第１の受送電ユニットまたは第２の受送電ユニットの母線接続導体モジュールに電線接続手段を取り付けて、該電線接続手段に前記変圧器の一次側につながる電線を接続することを特徴とする変電所の回線増設方法。
【発明の詳細な説明】
【０００１】
【発明の属する技術分野】
本発明は、変電所に設ける受送電用開閉装置、及び該変電所に引き込む回線を増設する方法に関するものである。
【０００２】
【従来の技術】
屋内または屋外の気中絶縁変電所は、図１４に示すように、変圧器ＴＲと、変圧器ＴＲの一次側と回線を構成する線路Ｌとの間に設ける受送電用開閉装置Ｓとを備えている。受送電用開閉装置Ｓは、遮断器ＣＢと該遮断器の一端と線路Ｌとの間に設ける線路側断路器ＤＳ１　と、線路側断路器ＤＳ１　の近傍に配置されて線路２に接続された避雷器ＬＡと、遮断器ＣＢの他端と変圧器ＴＲの一次側との間に設けられる変圧器側断路器ＤＳ２　とを備えている。
【０００３】
図示の断路器ＤＳ１　及びＤＳ２　は、架台１の上に支持されたブッシング２及び３の端子２ａ及び２ｂにそれぞれ設けられた固定コンタクトと、ブッシング２及び３の間に配置されたブッシング４の上端に支持された旋回形の可動コンタクト５とを備えた周知のものからなっている。
【０００４】
図示の例では、線路Ｌを構成する電線が架空線ａからなっていて、架空線ａが避雷器ＬＡに設けられたブッシング６を経て断路器ＤＳ１　の一方の端子２ａに接続され、断路器ＤＳ１　の他方の端子３ａが気中に配置された電線７を通して遮断器ＣＢの一端に接続されたブッシングＢＳ１　の端子に接続されている。
【０００５】
また遮断器ＣＢの他端に接続されたブッシングＢＳ２　の端子と、断路器ＤＳ２　の一方の端子２ａとの間が電線１０により接続され、断路器ＤＳ２　の他方の端子３ａと変圧器ＴＲの一次側のブッシング１１との間が気中に配置された電線１２を通して接続されている。変圧器ＴＲの二次側のブッシング１３は配電線１４に接続されている。
【０００６】
なお図１４において１５は、架空線を保持する碍子等を支持するために設けられた鉄製の構造物である。
【０００７】
図１４に示したような気中絶縁式の変電所においては、隣接する機器相互間に気中絶縁距離を確保する必要があるため、広い設置面積を必要とする。そのため、この種の変電所では、設置スペースに余裕がないことが多く、新たな回線を増設することが必要になった場合に、その回線分の開閉装置を設置するためのスペースを確保することが困難である。
【０００８】
そこで、この種の変電所において回線を増設することが必要になった場合には、遮断器ＣＢを含む既設の開閉装置全体の構成機器を撤去して、代りに２回線分の受送電用開閉回路を備えた縮小形のガス絶縁開閉装置を設置することで対処していた。
【０００９】
【発明が解決しようとする課題】
上記のように、従来の気中絶縁式の変電所では、回線の増設が必要になったときに、既設の開閉装置の構成機器全体を撤去して新たなガス絶縁開閉装置で置き換えていたため、高価な遮断器を含む多くの機器を廃棄することが必要になる上に、既設回線用の開閉回路と増設回線用の開閉回路との双方を備えた高価なガス絶縁開閉装置を導入することが必要になるため、甚だ不経済であった。
【００１０】
本発明の目的は、回線の増設に備えて容易に改造することができる変電所の受送電用開閉装置を提供することにある。
【００１１】
本発明の他の目的は、廃棄する機器を極力少くするとともに、増設する回線分の開閉回路のみを有する簡単な構成の開閉装置を新たに導入するだけで回線の増設に対応することができるようにした変電所の回線増設方法を提案することにある。
【００１２】
【課題を解決するための手段】
本発明は、３相の遮断器と、該遮断器とともに受送電用開閉回路を構成する複数の機器とを備えた変電所の受送電用開閉装置を対象としたものである。
【００１３】
本発明においては、各相の遮断器として、軸線をほぼ水平方向に向けた状態で配置された容器本体と該容器本体の軸線方向の両端の上部からそれぞれ突出した対の管台部とを一体に有する遮断部容器と、該遮断部容器内に収容された遮断部とを備えたものを用い、３相の遮断器を架台の上に並設する。
【００１４】
そして、遮断器とともに開閉回路を構成するために必要な機器（断路器、接地開閉器、接続導体、計器用変成器等）を、１単位となる機器毎にモジュール容器内に収容して複数種類の機器モジュールを構成し、遮断部容器の対の管台部のそれぞれに複数の機器モジュールを直列に接続して開閉回路を構成する。遮断部容器内及び各モジュール容器内にはＳＦ６　ガス等の絶縁ガスを封入する。
【００１５】
上記の構成において、「１単位となる機器」は、一つのモジュールとしてまとめるのに適した機器で、単一の機器でもよく、複数の機器でもよい。例えば断路器と、該断路器が開いたときに閉じられる接地開閉器とが近い位置に設けられる場合、該断路器と接地開閉器とは、１単位の機器としてモジュール化するのに適した機器である。
【００１６】
開閉回路の構成機器をモジュール化するに当り、いずれの機器を１単位の機器として扱うかは任意であるが、モジュールの標準化の容易性、縮小化を図る上での有意性、組立て容易性、モジュールの汎用性等を考慮して決めるのが好ましい。
【００１７】
本発明においては、遮断部容器の両端の管台部にそれぞれ複数の機器モジュールを直列に接続するが、直列に接続された機器モジュールの容器の側面に必要に応じて更に他の機器を収容した容器を接続することを何等妨げない。
【００１８】
なお遮断器の遮断部容器に他の容器を接続して断路器等を組み込んだ一体形開閉装置ユニット自体は既に知られているが、本発明では、既設の遮断器に、現地で断路器などの機器を組み込んで一体形の開閉装置ユニットを容易に構成することができるようにするために、遮断器に組み込む機器をモジュール化したことを特徴としている。
【００１９】
上記のように、遮断器の遮断部容器の両端の管台部のそれぞれに複数の機器モジュールを直列に接続してガス絶縁形の受送電ユニットを構成するようにすると、図１４に示すように遮断器と断路器とが分散配置されていた既設の気中絶縁タイプの変電所に設置されている遮断器をそのまま利用して、現地で受送電ユニットを組み立てることができるため、開閉装置の縮小化を容易に図ることができる。
【００２０】
上記機器モジュールを構成するに当っては、電流容量等に応じてモジュール容器とその内部に収容する機器とを標準化しておくのが好ましい。
【００２１】
本発明ではまた、既設の変電所において回線を増設する方法を提案する。一般に変電所には、変圧器と、遮断器と、該遮断器の一端と回線を構成する線路との間に設けられる線路側開閉回路の構成機器と、遮断器の他端と変圧器の一次側との間に設けられる変圧器側開閉回路の構成機器とが配置されていて、遮断器と線路側開閉回路の構成機器と変圧器側開閉回路の構成機器とにより受送電用開閉回路が構成されている。
【００２２】
本発明の増設方法においては、線路側開閉回路と同等の開閉回路を構成するために必要な機器及び変圧器側開閉回路と同等の開閉回路を構成するために必要な機器を、１単位とする機器毎に絶縁ガスが封入されるモジュール容器内に収容したものをそれぞれ機器モジュールとして、該機器モジュールを線路側開閉回路及び変圧器側開閉回路を構成するために必要な分だけ用意しておく。
【００２３】
そして、既設の線路側開閉回路の構成機器と既設の変圧器側開閉回路の構成機器とを撤去する機器撤去過程と、線路側開閉回路を構成するために必要な複数の機器モジュールを遮断部容器の対の管台部の一方に直列に接続するとともに、変圧器側開閉回路を構成するために必要な複数の機器モジュールを遮断部容器の対の管台部の他方に直列に接続して、既設の受送電用開閉回路と同様の電気的構成を有するガス絶縁形の第１の受送電ユニットを組み立てる第１の受送電ユニット組立て過程と、第１の受送電ユニットとほぼ同様な線路側開閉回路及び変圧器側開閉回路を有する第２の受送電ユニットを第１の受送電ユニットの側方に設置する第２の受送電ユニット設置過程と、第１の受送電ユニットの変圧器側開閉回路の変圧器側と第２の受送電ユニットの変圧器側開閉回路の変圧器側との間をガス絶縁母線を介して接続する母線接続過程とを行い、第１の受送電ユニット及び第２の受送電ユニットの一方及び他方をそれぞれ既設回線用の受送電ユニット及び増設回線用の受送電ユニットとする。
【００２４】
上記機器撤去過程は、第１の受送電ユニット組立て過程を行う前に実施するのが好ましいが、既設の機器を撤去しなくても受送電ユニットの組立てを行うことができる場合には、第１の受送電ユニット組立て過程を行った後に実施してもよい。
【００２５】
典型的な構成を有する変電所は、変圧器と、該変圧器の一次側と回線を構成する線路との間に設けられた受送電用開閉回路の構成機器とを備えており、受送電用開閉回路は、軸線をほぼ水平方向に向けた状態で配置された容器本体と該容器本体の軸線方向の両端の上部からそれぞれ突出した対の管台部とを一体に有する遮断部容器と該遮断部容器内に収容された遮断部と前記遮断部容器の対の管台の一方及び他方にそれぞれ接続された電線接続手段とを備えた遮断器と、この遮断器の一端と線路との間に設けられる線路側断路器と、線路側断路器の線路側端子に接続される導体を接地する線路側接地開閉器と、遮断器の他端と変圧器の一次側との間に設けられる変圧器側断路器とを少くとも備えている。
【００２６】
このような構成の変電所において回線を増設する場合には、既設の線路側断路器と同等の機能を有する断路器及び遮断器の一端を接地する第１の遮断器点検用接地開閉器の構成要素を絶縁ガスが封入されるモジュール容器内に収容した線路側断路器・接地開閉器モジュールと、既設の線路側接地開閉器と同等の機能を有する接地開閉器の構成要素を絶縁ガスが封入されるモジュール容器内に収容した線路側接地開閉器モジュールと、既設の変圧器側断路器と同等の機能を有する断路器及び遮断器の他端を接地する第２の遮断器点検用接地開閉器の構成要素を絶縁ガスが封入されるモジュール容器内に収容した変圧器側断路器・接地開閉器モジュールと、母線接続用導体を絶縁ガスが封入されるモジュール容器内に収容した母線接続導体モジュールとを用意しておいて、以下に示す機器撤去過程と、第１の受送電ユニット組立て過程と、第２の受送電ユニット設置過程とを行う。
【００２７】
機器撤去過程では、既設の線路側断路器と線路側接地開閉器と変圧器側断路器とを撤去する。
【００２８】
第１の受送電ユニット組立て過程では、既設の遮断器の遮断部容器の対の管台部から電線接続手段を外した後、該対の管台部の一方に少なくとも線路側断路器・接地開閉器モジュールと線路側接地開閉器モジュールとを直列に接続するとともに、該線路側接地開閉器モジュールに線路の端末を接続する線路接続手段を接続し、更に対の管台部の他方に少なくとも変圧器側断路器・接地開閉器モジュールと母線接続導体モジュールとを直列に接続して既設の受送電用開閉回路と同等の電気的構成を有する第１の受送電ユニットを構成する。
【００２９】
第２の受送電ユニット設置過程では、第１の受送電ユニットとほぼ同様に構成された第２の受送電ユニットを第１の受送電ユニットと並べて設置する。
【００３０】
母線接続過程では、第１の受送電ユニットの母線接続導体モジュールと第２の受送電ユニットの母線接続導体モジュールとの間をガス絶縁母線により接続する。
【００３１】
そして、第１の受送電ユニット及び第２の受送電ユニットの一方及び他方をそれぞれ既設回線用受送電ユニット及び増設回線用受送電ユニットとし、第１の受送電ユニットまたは第２の受送電ユニットの母線接続導体モジュールに電線接続手段を取り付けて、該電線接続手段に変圧器の一次側につながる電線を接続する。
【００３２】
上記のように、既設の遮断器に機器モジュールを接続することにより１回線分の受送電ユニットを構成し、遮断器以外の既設の機器を撤去することにより生まれたスペースに新たな受送電ユニットを導入するようにすると、既設の変電所のスペースを拡張することなく、容易に回線を増設することができる。
【００３３】
また上記のように、既設の変電所に設置されている機器のうち最も高価な遮断器をそのまま利用して第１の受送電ユニットを組み立てるようにすると、回線を増設する際の無駄を少くして、増設に要するコストの低減を図ることができる。
【００３４】
【発明の実施の形態】
以下の実施形態では、図１４に示した既設の変電所において回線を１回線増設する場合を想定する。
【００３５】
回線を増設するに当っては、停電させた後、先ず既設の遮断器ＣＢ以外の機器を撤去する機器撤去過程を行う。図１４に示した例では、避雷器ＬＡと、断路器ＤＳ１　及びＤＳ２　とを撤去する。次いで、遮断器ＣＢを新たな受送電ユニットを設置するスペースに移動させ、この遮断器をガス絶縁を採用した一体形の受送電ユニットに改造する作業を行う。
【００３６】
図１は一般に用いられている遮断器ＣＢの一相分の構成を概略的に示したものである。この遮断器は、軸線をほぼ水平方向に向けた状態で配置された容器本体２０と該容器本体の軸線方向の両端の上部からそれぞれ斜めに突出した対の管台部２１，２２とを一体に有する遮断部容器２３と、該遮断部容器内に収容された遮断部２４とを備えたもので、対の管台部２１及び２２にはそれぞれ短い管状のアダプタ容器２５及び２６を介してブッシングＢＳ１　及びＢＳ２　が接続されている。アダプタ容器２５及び２６をそれぞれ囲むように変流器ＣＴ１　及びＣＴ２　が取り付けられ、これらの変流器をそれぞれ覆うようにカバー２７及び２８が取り付けられている。
【００３７】
遮断部２４は例えば、固定接触子と、該固定接触子に接離する可動接触子と、パッファ機構等の適宜の消弧機構とを備えたガス遮断部（消弧性のガスを消弧手段として用いる遮断部）で、遮断部２４の可動接触子及び固定接触子の一方及び他方からそれぞれ端子導体２４ａ及び２４ｂが導出されている。端子導体２４ａ及び２４ｂは、管台部２１及び２２内とアダプタ容器２５及び２６内とを通してブッシングＢＳ１　及びＢＳ２　の中心導体に接続されている。遮断部容器２３は気密構造を有していて、該容器２３内には絶縁ガスとしてのＳＦ６　ガスが所定の圧力で封入されている。
【００３８】
変電所においては図示の遮断器が３相分設けられている。３相の遮断器ＣＢは、それぞれの遮断部容器２３の軸線を同じ方向に向けた状態で、図１の紙面と直角な方向に平行に並べて配置されて架台２９の上に固定されている。図１に示した遮断器の構成を示す単線結線図を図２に示した。
【００３９】
図１４に示した変電所において、１回線を増設する場合には、停電させた後、先ず避雷器ＬＡと、断路器ＤＳ１　及びＤＳ２　とを撤去する機器撤去過程を行い、３相の遮断器ＣＢの遮断部容器２３内のＳＦ６　ガスを回収する。次いで３相の遮断器ＣＢを新たに構成する一体形開閉装置を設置するスペースに移動させて、管台部２１及び２２からブッシングＢＳ１　及びＢＳ２　を取り外し、各相の遮断器の遮断部容器の管台部に機器モジュールを接続することにより、図３に示すような一体形の第１の受送電ユニットＵ１　を組み立てる。
【００４０】
図３に示した第１の受送電ユニットＵ１　の構成は図４に示す単線結線図の通りである。この例では、線路を構成する電線がケーブルＡ１　からなっていて、該ケーブルを引き込むためにケーブルヘッドＣＨｄが設けられている。ケーブルヘッドＣＨｄは線路側断路器ＤＳ１　を介して遮断器ＣＢの一端に接続され、遮断器ＣＢの他端は変圧器側断路器ＤＳ２　を介してブッシングＢＳ２　に接続されている。断路器ＤＳ１　とケーブルヘッドとの間を接続する導体に線路側接地開閉器ＥＳｏ　が接続され、遮断器ＣＢの一端及び他端にはそれぞれ断路器ＤＳ１　及びＤＳ２　が開かれたときに閉じられる遮断器点検用接地開閉器ＥＳ１　及びＥＳ２　が接続されている。またケーブルＡ１　に変流器ＣＴ１　が装着され、遮断器ＣＢの他端と断路器ＤＳ２　との間を流れる電流を検出するように変流器ＣＴ２　が設けられている。更に後記する回線増設用の一体形開閉装置との間を連絡するための母線ＢＵＳを接続するために、断路器ＤＳ２　とブッシングＢＳ２　との間を接続する導体Ｃ１　を母線接続部を有する母線接続導体としている。
【００４１】
本発明においては、受送電ユニットＵ１　の組立てを容易にするために、該受送電ユニットを構成する機器のうち、１単位とする機器をモジュール容器内に収容して機器モジュールを構成する。
【００４２】
図３及び図４に示した例では、断路器ＤＳ１　と接地開閉器ＥＳ１　とがモジュール容器内に収納されることによりモジュール化されて線路側断路器・接地開閉器モジュール（以下線路側ＤＳ／ＥＳモジュールという。）Ｍ１１が構成され、線路側接地開閉器ＥＳｏ　がモジュール化されて線路側接地開閉器モジュール（以下線路側ＥＳモジュールという。）Ｍ２　が構成されている。またケーブルヘッドＣＨｄがモジュール化されてケーブルヘッドモジュールＭ３　が構成され、該ケーブルヘッドモジュールにより線路の端末部を接続する線路接続手段が構成されている。
【００４３】
更に変圧器側断路器ＤＳ２　と接地開閉器ＥＳ２　とがモジュール化されて変圧器側断路器・接地開閉器モジュール（以下変圧器側ＤＳ／ＥＳモジュールという。）Ｍ５　が構成されている。
【００４４】
機器をモジュール化するに当っては、同じ機能を有する部分は同一の構成要素と同一のモジュール容器とにより構成し、各構成要素と絶縁スペーサに設けられた貫通導体との接続部等の導体接続部の構成は標準化しておくのが好ましい。
【００４５】
図３に示した例では、遮断部容器２３の一方の管台部２１に絶縁スペーサ３１を介して線路側ＤＳ／ＥＳモジュールＭ１１の一端が接続され、このモジュールＭ１１の他端に絶縁スペーサ３２を介して線路側ＥＳモジュールＭ２　の一端が接続されている。また線路側ＥＳモジュールＭ２　の他端（上端）に絶縁スペーサ３３を介して線路接続手段を構成するケーブルヘッドモジュールＭ３　が接続されている。
【００４６】
遮断部容器２３の他方の管台部２２には、絶縁スペーサ３４を介して接続導体モジュールＭ４　の一端が接続され、このモジュールＭ４　の他端に絶縁スペーサ３５を介して変圧器側ＤＳ／ＥＳモジュールＭ１２の一端が接続されている。また変圧器側ＤＳ／ＥＳモジュールＭ１２の他端に絶縁スペーサ３６を介して母線接続導体モジュールＭ５　の一端が接続され、このモジュールＭ５　の他端（上端）にブッシングＢＳ２　が接続されている。
【００４７】
各機器モジュールは、モジュール容器内に所定の機器を収容することにより構成されるが、図示の例では、ＤＳ／ＥＳモジュールＭ１１，Ｍ１２、線路側ＥＳモジュールＭ２　、及び母線接続導体モジュールＭ５　に共通のモジュール容器４０として、形状及び寸法が標準化された標準容器が用いられている。この標準容器は、一端及び他端にそれぞれフランジ４０ａ１及び４０ａ２が形成された管状の容器本体４０ａと、容器本体４０ａの他端寄りの側面から該容器本体の軸線と直交する方向に突出した枝管部４０ｂとを一体に有するほぼＬ字状の容器からなっていて、容器本体４０ａの両端のフランジが他の容器のフランジや、ブッシング等に直接または絶縁スペーサを介して接続される。
【００４８】
各機器モジュールについて更に説明すると、線路側ＤＳ／ＥＳモジュールＭ１１は、モジュール容器４０と、該モジュール容器４０内に収容された開閉器４１とからなっていて、モジュール容器４０の一端側のフランジが絶縁スペーサ３１を介して遮断部容器の枝管部２１に接続され、モジュール容器４０の他端側のフランジは線路側ＥＳモジュールＭ２　のモジュール容器４０の一端側のフランジに絶縁スペーサ３２を介して接続されている。開閉器４１は、絶縁スペーサ３２に埋め込まれた貫通導体３２ａに支持された固定コンタクト４１ａと、モジュール容器４０の枝管部４０ｂの開口部を気密に閉じるように取り付けられた蓋板に支持された固定コンタクト４１ｂと、絶縁スペーサ３１に埋め込まれた貫通導体３１ａに接続された導体に一端が軸を介して支持されて、固定コンタクト４１ａに接触する第１の位置と固定コンタクト４１ｂに接触する第２の位置（図示の位置）との間を回動させられる可動コンタクト４１ｃとからなっている。可動コンタクト４１ｃは図示しない操作機構を介して操作器に連結され、該操作器より操作されて第１の位置と第２の位置との間を回動させられる。
【００４９】
図示のＤＳ／ＥＳモジュールＭ１１においては、固定コンタクト４１ｂが接地電位部に接続されていて、可動コンタクト４１ｃと固定コンタクト４１ｂとにより接地開閉器ＥＳ１　が構成され、可動コンタクト４１ｃと固定コンタクト４１ａとにより断路器ＤＳ１　が構成されている。
【００５０】
線路側ＥＳモジュールＭ２　は、中間部に接地開閉器用の固定コンタクト４２ａを有してモジュール容器４０の容器本体の軸線方向に沿うように配置された導体４２と、モジュール容器４０の枝管部４０ｂの開口部を閉じるように設けられた蓋板に取り付けられた可動側エレメント４３とからなっている。可動側エレメント４３は固定コンタクト４２ａに接離する直線変位型の可動コンタクト４３ａと、該可動コンタクト４３ａを駆動する駆動機構とを備えたもので、電動または電動バネ操作により可動コンタクト４３ａを変位させて固定コンタクト４２ａに接離させるようになっている。この例では、固定コンタクト４２ａと可動側エレメント４３とにより線路側接地開閉器ＥＳｏ　が構成されている。
【００５１】
ケーブルヘッドモジュールＭ３　は、軸線を垂直方向に向けた状態で配置された第１の容器４４ａと、第１の容器４４ａに対して傾斜した状態で設けられて第１の容器４４ａの上端に分岐管部４４ｂを介して接続された第２の容器４４ｃとを有するモジュール容器４４と、該モジュール容器の第１の容器４４ａ内に配置されたケーブルヘッドＣＨｄとを備えていて、モジュール容器の第２の容器４４ｃの下端が絶縁スペーサ３３を介して線路側ＥＳモジュールＭ２　のモジュール容器４０の上端に接続されている。ケーブルヘッドＣＨｄは第１の容器４４ａの底部に取り付けられ、該ケーブルヘッドの上端に設けられた端子が接続導体４５を介して絶縁スペーサ３３に埋め込まれた貫通導体３３ａに接続されている。
【００５２】
モジュール容器４４を支えるように架台４６が設けられ、地下のケーブルピットから架台４６の内側を通して立ち上げられたケーブルＡ１　の端末部４７がケーブルヘッドＣＨｄに接続されている。また架台４６の内側でケーブルＡ１　に変流器ＣＴ１　が装着されている。
【００５３】
遮断器ＣＢの遮断部容器２３の他方の管台部２２に絶縁スペーサ３４を介して接続された接続導体モジュールＭ４　は、短い直管からなるモジュール容器４８と、該容器４８内に収容された接続導体４９とからなっていて、モジュール容器４８の下端が絶縁スペーサ３４を介して管台２２に接続され、モジュール容器４８の上端が絶縁スペーサ３５を介して変圧器側ＤＳ／ＥＳモジュールＭ１２に接続されている。
【００５４】
接続導体モジュールＭ４　は変流器ＣＴ２　を取り付けるために設けられたもので、該モジュールＭ４　の容器４８を取り囲むように変流器ＣＴ２　が取り付けられている。
【００５５】
変圧器側ＤＳ／ＥＳモジュールＭ１２は、線路側ＤＳ／ＥＳモジュールＭ１１と全く同様に構成されていて、そのモジュール容器４０の一端側のフランジが絶縁スペーサ３５を介して接続導体モジュールＭ４　の容器４８の上端に接続されている。
【００５６】
母線接続導体モジュールＭ５　は、モジュール容器４０内に母線接続導体Ｃ１　を収容したものからなっていて、該母線接続導体モジュールのモジュール容器４０の下端は変圧器側ＤＳ／ＥＳモジュールＭ１２のモジュール容器４０の上端（他端）に絶縁スペーサ３６を介して接続され、モジュール容器４０の上端に変圧器の一次側につながる電線を接続する電線接続手段を構成するブッシングＢＳ２　が接続されている。
【００５７】
母線接続導体Ｃ１　は、モジュール容器４０の本体の内部を軸線方向に延びる棒状の主導体Ｃ１ａと、該導体Ｃ１ａの中間部から突出して、モジュール容器４０の分岐管部４０ｂ内に挿入された分岐導体Ｃ１ｂとを備えたもので、その主導体Ｃ１ａの一端は絶縁スペーサ３６に設けられた貫通導体３６ａに接続され、他端はブッシングＢＳ２　の中心導体に接続されている。
【００５８】
母線接続導体モジュールＭ５　のモジュール容器４０の分岐管部４０ｂの開口端には、絶縁スペーサ３７を介してガス絶縁母線ＧＢが接続されている。ガス絶縁母線ＧＢは、管状の母線容器５０内に母線ＢＵＳを構成する３相の母線導体５１を収容したもので、母線容器５０の一端側に設けられた分岐管部５０ａが絶縁スペーサ３７を介して母線接続導体モジュールＭ５　のモジュール容器の分岐管部４０ｂに接続されている。母線接続導体Ｃ１　の分岐導体Ｃ１ｂは絶縁スペーサ３７に埋め込まれた貫通導体３７ａを通して母線容器５０内の所定の相の母線導体５１に接続されている。この例では、母線接続導体Ｃ１　の分岐導体Ｃ１ｂとモジュール容器４０の分岐管部４０ｂとにより母線接続部が構成されている。
【００５９】
上記のように各相の遮断器ＣＢの遮断部容器２３の管台部に機器モジュールを接続して既設回線用の第１の受送電ユニットＵ１　を組立てる第１の受送電ユニット組立て過程を行った後、該受送電ユニットＵ１　の側方に増設回線用の第２の受送電ユニットＵ２　を設置する第２の受送電ユニット設置過程を行う。
【００６０】
第２の受送電ユニットＵ２　の構成の一例を図５に示した。この受送電ユニットＵ２　は、電線接続手段としてのブッシングＢＳ２　を省略した点を除き第１の受送電ユニットＵ１　と同様の構成を有するものである。ブッシングＢＳ２　を省略するため、母線接続導体モジュールＭ５　´のモジュール容器４０の上端の開口部が蓋板により閉鎖され、母線接続導体Ｃ１　´としてＬ字形のものが用いられている。
【００６１】
上記第２の受送電ユニットＵ２　の組立ては、現地（変電所）で行ってもよく、工場で行ってもよい。
【００６２】
上記のようにして第２の受送電ユニットＵ２　を設置した後、母線接続導体モジュールＭ５　´のモジュール容器４０の分岐管部４０ｂにガス絶縁母線ＧＢの母線容器５０の他端側に設けられた分岐管部５０ｂを絶縁スペーサ３８を介して接続し、母線接続導体Ｃ１　´を絶縁スペーサ３８に設けられた埋込み導体３８ａを通して母線容器５０内に設けられた所定の相の母線導体５１に接続する。また受送電ユニットＵ２　に設けられたケーブルヘッドＣＨｄに増設回線のケーブルＡ２　の端末部４７´を接続する。
【００６３】
また、第１の受送電ユニットＵ１　及び第２の受送電ユニットＵ２　の遮断部容器内と、各モジュール容器内とにＳＦ６　ガスを封入する。
【００６４】
上記のようにして第１の受送電ユニットＵ１　と第２の受送電ユニットＵ２　とを設置した状態での電気的構成を示す単線結線図を図６に示し、その機械的構成を示す平面図を図７に示した。図７において、第１の受送電ユニットＵ１　に設けられたブッシングＢＳ２　の端子は電線１２を通して図示しない変圧器の一次側のブッシング端子に接続されている。
【００６５】
なお上記の例では、避雷器を省略したが、ケーブルヘッドモジュールＭ３　のモジュール容器４４に避雷器接続用の枝管部を設けて、該枝管部に避雷器を収容した容器を接続するようにすることもできる。この場合避雷器は消弧機能を有しない簡易断路部を介して、接続導体４５に接続される。
【００６６】
上記の例では、ケーブルＡ１　，Ａ２　を通して受電する場合を例にとったが、架空線を通して受電する場合にも本発明を適用することができる。架空線を通して２回線を受電する場合の第１の受送電ユニットＵ１　及び第２の受送電ユニットＵ２　の構成をそれぞれ図８及び図９に示した。図８及び図９に示した受送電ユニットＵ１　及びＵ２　の構成はそれぞれ線路側ＥＳモジュールＭ２　の上端にケーブルヘッドモジュールＭ３　の代りにアダプタ容器５２を介してブッシングＢＳ１　が接続されている点、及び変流器ＣＴ１　がアタプタ容器５２に取り付けられている点を除き、図３及び図５に示した受送電ユニットＵ１　及びＵ２　と同様である。
【００６７】
また本発明は、１回線を架空線で受電し、他の回線をケーブルで受電する場合にも適用することができる。
【００６８】
２回線を架空線を通して受電する場合には、第１の受送電ユニットＵ１　の増設回線側のブッシングＢＳ１　と第２の受送電ユニットＵ２　の既設回線側のブッシングＢＳ１　との間に所定の絶縁距離を確保するように両受送電ユニット間の距離を設定する必要がある。そのため、２回線を架空線を通して受電する場合には、開閉装置全体の幅寸法が多少大きくなるのを避けられない。第１の受送電ユニットＵ１　と第２の受送電ユニットＵ２　との間の距離を短くして開閉装置の縮小化を図るためには、図３及び図５に示した例のようにケーブルで受電するか、または１回線のみを架空線で受電し、他の回線をケーブルにより受電するのが好ましい。
【００６９】
各受送電ユニットを構成する機器は、上記の例に限られるものではなく、遮断器の一端側及び他端側に更に他の機器が設けられる場合にも本発明を適用することができる。例えば、図１１に示すように、線路側断路器ＤＳ１　とブッシングＢＳ１　との間を接続する導体に線路電圧計測用の計器用変圧器ＬＰＴを接続する場合には、図１０に示すように、線路側ＥＳモジュールＭ２　´の容器として、容器本体４０ａと、該容器本体の側面から互いに反対側に突出した枝管部４０ｂ及び４０ｃとを有するモジュール容器４０´を用いて、枝管部４０ｂに線路側接地開閉器ＥＳｏ　の可動側エレメント４３を接続するとともに、枝管部４０ｃに計器用変圧器ＬＰＴを接続する構成をとることができる。この場合、接地開閉器ＥＳｏ　の固定コンタクト４２ａを設ける導体４２に枝管部４０ｃ側に延びる分岐部４２ｂを設けて、該分岐部４２ｂを計器用変圧器ＧＰＴの端子に接続する。
【００７０】
上記のように計器用変圧器ＬＰＴを設けた場合の回線増設後の開閉装置の構成を図１２に示した。
【００７１】
図１０に示した例では、図８及び図９のように架空線を通して受電するためにブッシングＢＳ１　を設けているが、ケーブルで受電する場合にも線路側ＥＳモジュールＭ２　のモジュール容器に分岐管部を付加することにより計器用変圧器ＬＰＴを取り付けることができる。
【００７２】
また図８及び図９に示すようにブッシングＢＳ１　を通して架空線を引き込む場合も、線路側ＥＳモジュールＭ２　のモジュール容器４０またはアダプタ容器５２に避雷器接続用分岐管部を設けて、該分岐管部に避雷器を接続することにより、避雷器を設けることができる。
【００７３】
上記の例のように、第２の受送電ユニットＵ２　として第１の受送電ユニットＵ１　と同様の機械的構成を有するものを用いると、第１の受送電ユニットＵ１　と第２の受送電ユニットＵ２　との間を容易にガス絶縁母線ＧＢにより接続することができる。しかしながら、本発明は、このように第２の受送電ユニットとして第１の受送電ユニットと同様の機械的構成を有するものを用いる場合に限定されるものではない。第２の受送電ユニットＵ２　は、遮断器と、該遮断器と増設回線との間に設ける線路側開閉回路と、遮断器と変圧器の一次側との間に設ける変圧器側開閉回路とを備えたガス絶縁形の一体形開閉装置からなっていればよく、一般に用いられているガス絶縁開閉装置の受送電ユニットとして用いられているものであってもよい。
【００７４】
上記の各例では、第１の受送電ユニットを既設回線用の受送電ユニットとして用い、第２の受送電ユニットを増設回線用の受送電ユニットとして用いるようにしたが、第２の受送電ユニットを既設回線用の受送電ユニットとして用い、第１の受送電ユニットを増設回線用の受送電ユニットとして用いるようにしてもよい。
【００７５】
また上記の例では、第１の受送電ユニットＵ１　の母線接続導体モジュールに電線接続手段としてのブッシングＢＳ２　を取り付けて、該電線接続手段に変圧器につながる電線を接続するようにしたが、第２の受送電ユニットＵ２　の母線接続導体モジュールに電線接続手段としてのブッシングＢＳ２　を取り付けて、該電線接続手段に変圧器につながる電線を接続するようにしてもよい。
【００７６】
上記の例では、変圧器の一次側につながる電線として架空線を用いたが、該電線としてケーブルを用いることもできる。その場合には、母線接続導体モジュールにケーブルヘッドモジュールを取り付けて、該ケーブルヘッドモジュールのケーブルヘッドを電線接続手段とする。
【００７７】
上記の例では、遮断部容器２３内に収容する遮断部２４としてガス遮断部を用いたが、遮断部２４として、真空バルブを用いることもできる。
【００７８】
【発明の効果】
以上のように、本発明によれば、遮断器の遮断部容器の両端の管台部のそれぞれに複数の機器モジュールを直列に接続してガス絶縁形の受送電ユニットを構成するようにしたので、既設の変電所に設置されている遮断器に現地で機器モジュールを接続することにより受送電ユニットを組み立てて、開閉装置の縮小化を図ることができる。
【００７９】
また本発明によれば、既設の遮断器に機器モジュールを接続することにより、１回線分の受送電ユニットを構成し、遮断器以外の既設の機器を撤去することにより生じたスペースに新たな受送電ユニットを導入するようにしたため、既設の変電所のスペースを拡張することなく、容易に回線を増設することができる利点がある。
【００８０】
更に本発明によれば、既設の変電所の回線を増設する場合に、既設の変電所に設置されている機器のうち最も高価な遮断器をそのまま利用して受送電ユニットを組み立てるので、回線を増設する際の無駄を少くして、増設に要するコストの低減を図ることができる。
【図面の簡単な説明】
【図１】一般に用いられている遮断器の構成を示す断面図である。
【図２】図１の遮断器の単線結線図である。
【図３】本発明に係わる第１の受送電ユニットの構成を示す断面図である。
【図４】図３の受送電ユニットの単線結線図である。
【図５】本発明に係わる第２の受送電ユニットの構成を示した断面図である。
【図６】図３に示した第１の受送電ユニットと図５に示した第２の受送電ユニットとにより構成した受送電用開閉装置の単線結線図である。
【図７】図３に示した第１の受送電ユニットと図５に示した第２の受送電ユニットとにより構成した受送電用開閉装置の構成を示した平面図である。
【図８】本発明に係わる第１の受送電ユニットの他の構成例を示した断面図である。
【図９】本発明に係わる第２の受送電ユニットの他の構成例を示した断面図である。
【図１０】図８及び図９に示した受送電ユニットに計器用変圧器を取り付けた状態を示した要部の断面図である。
【図１１】図８に示した第１の受送電ユニットの単線結線図である。
【図１２】図８に示した第１の受送電ユニットと図９に示した第２の受送電ユニットとにより構成した受送電用開閉装置の単線結線図である。
【図１３】本発明に係わる第１の受送電ユニットの更に他の構成例を示した断面図である。
【図１４】本発明の方法により回線を増設する変電所の構成例を示した平面図である。
【符号の説明】
Ｕ１　…第１の受送電ユニット、Ｕ２　…第２の受送電ユニット、ＣＢ…遮断器、２０…容器本体、２１，２２…管台部、２３…遮断部容器、２４…遮断部、Ｍ１１，Ｍ１２…断路器・接地開閉器モジュール、Ｍ２　…接地開閉器モジュール、Ｍ３　…ケーブルヘッドモジュール、Ｍ４　…接続導体モジュール、Ｍ５　…母線接続導体モジュール、ＣＨｄ…ケーブルヘッド、４０，４４，４８…モジュール容器。
【図１】
2004080911.tif 000003
【図２】
2004080911.tif 000004
【図３】
2004080911.tif 000005
【図４】
2004080911.tif 000006
【図５】
2004080911.tif 000007
【図６】
2004080911.tif 000008
【図７】
2004080911.tif 000009
【図８】
2004080911.tif 000010
【図９】
2004080911.tif 000011
【図１０】
2004080911.tif 000012
【図１１】
2004080911.tif 000013
【図１２】
2004080911.tif 000014
【図１３】
2004080911.tif 000015
【図１４】
2004080911.tif 000016